(57)【要約】【課題】光源の実装に際してレイアウト上の制約が多い携帯機器において、生体の一部に対して均一な光照射を行う。【解決手段】本発明にかかる携帯機器用静脈認証装置は、筐体の幅方向に設けられた２つの封止部材間に配設され、生体の一部に対して近赤外光を照射する複数の光源が２つの封止部材間に幅方向に沿って並設される光源部と、生体の一部を撮像して、静脈撮像データを生成する撮像部と、静脈撮像データから静脈パターンを抽出する静脈パターン抽出部と、抽出された静脈パターンの認証を行う認証部と、を備え、封止部材に近接する光源から照射される近赤外光の照射方向は、筐体の長手方向に対して斜行している。【選択図】図５
2009271669.tif 000002
【特許請求の範囲】
【請求項１】
携帯機器の筐体を封止する複数の封止部材により前記筐体が封止された携帯機器に設けられる静脈認証装置であって、
前記筐体の幅方向に設けられた２つの前記封止部材間に配設され、生体の一部に対して近赤外光を照射する複数の光源が前記２つの封止部材間に前記幅方向に沿って並設される光源部と、
前記生体の一部を撮像して、静脈撮像データを生成する撮像部と、
前記静脈撮像データから静脈パターンを抽出する静脈パターン抽出部と、
抽出された前記静脈パターンの認証を行う認証部と、
を備え、
前記封止部材に近接する前記光源から照射される前記近赤外光の照射方向は、前記筐体の長手方向に対して斜行している、携帯機器用静脈認証装置。
【請求項２】
前記封止部材に近接する光源から照射される前記近赤外光の照射方向は、当該光源に近接する前記封止部材側に傾斜している、請求項１に記載の携帯機器用静脈認証装置。
【請求項３】
前記封止部材に近接する光源から照射される前記近赤外光の照射方向は、前記筐体の長手方向と鋭角をなす、請求項２に記載の携帯機器用静脈認証装置。
【請求項４】
前記携帯機器は、表示部を有する第１筐体と、操作部を有する第２筐体と、前記第１筐体および前記第２筐体を互いに回動自在に連結するヒンジ部と、を有する折畳式携帯機器であり、
前記光源部は、前記第１筐体または前記第２筐体に設けられ、
前記撮像部は、前記ヒンジ部または前記光源部が設けられていない筐体に設けられる、請求項１に記載の携帯機器用静脈認証装置。
【請求項５】
前記携帯機器は、表示部を有する第１筐体と、操作部を有する第２筐体と、前記第１筐体および前記第２筐体を互いに回動自在に連結するヒンジ部と、を有する折畳式携帯機器であり、
前記光源部は、前記ヒンジ部に設けられ、
前記撮像部は、前記第１筐体または前記第２筐体に設けられる、請求項１に記載の携帯機器用静脈認証装置。
【請求項６】
前記光源部および前記撮像部は、前記筐体における表示部および操作部が設けられた面と対向する面に設けられる、請求項１に記載の携帯機器用静脈認証装置。
【請求項７】
携帯機器の筐体を封止する複数の封止部材により前記筐体が封止された携帯機器に設けられており、前記筐体の幅方向に設けられた２つの前記封止部材間に配設され、生体の一部に対して近赤外光を照射する複数の光源が前記２つの封止部材間に前記幅方向に沿って並設される光源部から、前記生体の一部に対して、前記近赤外光を照射する光照射ステップと、
前記生体の一部を撮像して、静脈撮像データを生成する静脈撮像データ生成ステップと、
前記静脈撮像データから静脈パターンを抽出する静脈パターン抽出ステップと、
抽出された前記静脈パターンの認証を行う認証ステップと、
を含み、
前記封止部材に近接する前記光源から照射される前記近赤外光の照射方向は、前記筐体の長手方向に対して斜行している、静脈認証方法。
【発明の詳細な説明】
【技術分野】
【０００１】
本発明は、携帯機器用静脈認証装置および静脈認証方法に関する。
【背景技術】
【０００２】
近年、情報通信技術の発達に伴い、ＰＤＡ（Ｐｅｒｓｏｎａｌ  Ｄｉｇｉｔａｌ  Ａｓｓｉｓｔａｎｔ）等の携帯端末や携帯電話等の携帯機器において、電子マネーや定期券など、様々なサービスを利用することができるようになってきた。これらのサービスの利用に際して安全性を担保するために、様々な認証方法を利用することが可能である。
【０００３】
このような認証方法の一つに、生体の一部を撮像して得られる静脈パターンを用いて個人認証を行う静脈認証技術がある。この静脈認証は、判定精度の高さや偽造、成りすましが困難であるため、次世代の生体個人認証として期待されている。
【０００４】
例えば、特許文献１には、携帯電話等の携帯機器に対して静脈認証技術を適用した例が開示されている。
【０００５】
【特許文献１】特開２００６−１８１２９６号公報
【発明の開示】
【発明が解決しようとする課題】
【０００６】
ところで、静脈認証を実施するためには、生体の一部に近赤外光を照射する光源が必要となるが、携帯電話等の小型の携帯機器に光源を実装する際にはレイアウト上の制約が多く、生体の一部に対して均一な近赤外光の照射が困難となる場合があった。
【０００７】
そこで、本発明は、このような問題に鑑みてなされたもので、その目的は、光源の実装に際してレイアウト上の制約が多い携帯機器において、生体の一部に対して均一な光照射を行うことが可能な、新規かつ改良された携帯機器用静脈認証装置および静脈認証方法を提供することにある。
【課題を解決するための手段】
【０００８】
上記課題を解決するために、本発明のある観点によれば、携帯機器の筐体を封止する複数の封止部材により前記筐体が封止された携帯機器に設けられる静脈認証装置であって、前記筐体の幅方向に設けられた２つの前記封止部材間に配設され、生体の一部に対して近赤外光を照射する複数の光源が前記２つの封止部材間に前記幅方向に沿って並設される光源部と、前記生体の一部を撮像して、静脈撮像データを生成する撮像部と、前記静脈撮像データから静脈パターンを抽出する静脈パターン抽出部と、抽出された前記静脈パターンの認証を行う認証部と、を備え、前記封止部材に近接する前記光源から照射される前記近赤外光の照射方向は、前記筐体の長手方向に対して斜行している、携帯機器用静脈認証装置が提供される。
【０００９】
かかる構成によれば、封止部材間に配置された複数の光源を含む光源部は、生体の一部に対して近赤外光を照射し、撮像部は、近赤外光が照射されている生体の一部を撮像して静脈撮像データを生成し、静脈パターン抽出部は、静脈撮像データから静脈パターンを抽出し、認証部は、抽出された静脈パターンの認証を行う。この際、封止部材に近接する光源から照射される近赤外光の照射方向は、筐体の長手方向に対して斜行しているため、近赤外光が生体の一部を照らす範囲を広げることができる。
【００１０】
前記封止部材に近接する光源から照射される前記近赤外光の照射方向は、当該光源に近接する前記封止部材側に傾斜していてもよい。
【００１１】
前記封止部材に近接する光源から照射される前記近赤外光の照射方向は、前記筐体の長手方向と鋭角をなしていてもよい。
【００１２】
前記携帯機器は、表示部を有する第１筐体と、操作部を有する第２筐体と、前記第１筐体および前記第２筐体を互いに回動自在に連結するヒンジ部と、を有する折畳式携帯機器であり、前記光源部は、前記第１筐体または前記第２筐体に設けられ、前記撮像部は、前記ヒンジ部または前記光源部が設けられていない筐体に設けられてもよい。
【００１３】
前記携帯機器は、表示部を有する第１筐体と、操作部を有する第２筐体と、前記第１筐体および前記第２筐体を互いに回動自在に連結するヒンジ部と、を有する折畳式携帯機器であり、前記光源部は、前記ヒンジ部に設けられ、前記撮像部は、前記第１筐体または前記第２筐体に設けられてもよい。
【００１４】
前記光源部および前記撮像部は、前記筐体における表示部および操作部が設けられた面と対向する面に設けられていてもよい。
【００１５】
上記課題を解決するために、本発明の別の観点によれば、携帯機器の筐体を封止する複数の封止部材により前記筐体が封止された携帯機器に設けられており、前記筐体の幅方向に設けられた２つの前記封止部材間に配設され、生体の一部に対して近赤外光を照射する複数の光源が前記２つの封止部材間に前記幅方向に沿って並設される光源部から、前記生体の一部に対して、前記近赤外光を照射する光照射ステップと、前記生体の一部を撮像して、静脈撮像データを生成する静脈撮像データ生成ステップと、前記静脈撮像データから静脈パターンを抽出する静脈パターン抽出ステップと、抽出された前記静脈パターンの認証を行う認証ステップと、を含み、前記封止部材に近接する前記光源から照射される前記近赤外光の照射方向は、前記筐体の長手方向に対して斜行している、静脈認証方法が提供される。
【００１６】
上記課題を解決するために、本発明の更に別の観点によれば、携帯機器の筐体を封止する複数の封止部材により前記筐体が封止された携帯機器を制御するコンピュータを、静脈認証装置として機能させるためのプログラムであって、前記筐体の幅方向に設けられた２つの前記封止部材間に配設され、生体の一部に対して近赤外光を照射する複数の光源が前記２つの封止部材間に前記幅方向に沿って並設される光源部の制御を行う光源制御機能と、撮像装置を制御して前記生体の一部を撮像し、静脈撮像データを生成する撮像機能と、前記静脈撮像データから静脈パターンを抽出する静脈パターン抽出機能と、抽出された前記静脈パターンの認証を行う認証機能と、をコンピュータに実現させるためのプログラムが提供される。
【００１７】
かかる構成によれば、コンピュータプログラムは、コンピュータが備える記憶部に格納され、コンピュータが備えるＣＰＵに読み込まれて実行されることにより、携帯機器を制御するコンピュータを上記の静脈認証装置として機能させる。また、コンピュータプログラムが記録された、コンピュータで読み取り可能な記録媒体も提供することができる。記録媒体は、例えば、磁気ディスク、光ディスク、光磁気ディスク、フラッシュメモリなどである。また、上記のコンピュータプログラムは、記録媒体を用いずに、例えばネットワークを介して配信してもよい。
【発明の効果】
【００１８】
本発明によれば、光源の実装に際してレイアウト上の制約が多い携帯機器において、生体の一部に対して均一な光照射を行うことが可能である。
【発明を実施するための最良の形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
（第１の実施形態）
＜折畳式携帯機器用静脈認証装置について＞
まず、図１を参照しながら、本発明の第１の実施形態に係る携帯機器用静脈認証装置の一例である折畳式携帯機器用静脈認証装置（以下、静脈認証装置とも称する。）について、詳細に説明する。図１は、本実施形態に係る携帯機器用静脈認証装置について説明するための説明図である。
【００２１】
なお、以下の説明では、折畳式携帯機器の一例として、折畳式携帯電話機を挙げながら説明を行うが、ＰＤＡ等の折畳式携帯端末であっても同様である。
【００２２】
本実施形態に係る折畳式携帯機器用静脈認証装置１０は、例えば図１に示したような折畳式携帯電話に設けられる静脈認証装置である。折畳式携帯電話は、表示部１０２が設けられた第１筐体１０１と、操作部１０４が設けられた第２筐体と、第１筐体１０１および第２筐体１０３を互いに回動自在に連結するヒンジ部１０５と、から構成される。本実施形態に係る折畳式携帯機器用静脈認証装置１０では、例えば、表示部１０２の上方の端部に、表示部１０２近傍に配置される生体に近赤外光を照射する光源部１５１が設けられている。また、ヒンジ部１０５の略中央部には、本実施形態に係る撮像部１５３が設けられており、ヒンジ部１０５の一端には、撮像部１５３を回転させるための撮像部回転つまみ１０６が設けられている。
【００２３】
本実施形態に係る撮像部１５３は、例えば、風景やポートレイト等を撮像するための撮像部を、静脈撮像用の撮像部として利用することが可能であり、撮像部回転つまみ１０６を回転させることで、撮像部１５３に含まれるレンズ等の光学素子や撮像素子の向いている方向（すなわち、撮像方向）を変更することができる。
【００２４】
本実施形態に係る折畳式携帯機器用静脈認証装置１０では、例えば表示部１０２の表面上に配設された生体の一部（例えば、指）に対して光源部１５１が近赤外光を照射し、近赤外光が照射されている生体を、撮像部１５３が撮影する。その後、撮像の結果生成される静脈撮像データから静脈パターンが抽出され、抽出された静脈パターンの認証処理が行われる。
【００２５】
なお、本実施形態に係る携帯機器用静脈認証装置１０は、図１に示した例に限定されるわけではなく、例えば、光源部１５１は、第２筐体１０３の端部（例えば、操作部１０４の下方の端部）に配置されてもよい。また、光源部１５１がヒンジ部１０５に設けられ、第１筐体１０１の端部または第２筐体１０３の端部に、撮像部１５３が設けられても良い。
【００２６】
＜携帯機器用静脈認証装置の構成について＞
続いて、図２を参照しながら、本実施形態に係る携帯機器用静脈認証装置１０の構成について、詳細に説明する。図２は、本実施形態に係る携帯機器用静脈認証装置１０の構成について説明するためのブロック図である。
【００２７】
本実施形態に係る携帯機器用静脈認証装置１０は、例えば図２に示したように、光源部１５１と、撮像部１５３と、静脈パターン抽出部１５５と、認証部１５７と、被制限処理実行部１５９と、表示制御部１６１と、記憶部１６３と、を主に備える。
【００２８】
光源部１５１は、体表面（例えば、指表面）ＦＧに対して所定の波長帯域を有する近赤外光を照射する。近赤外光は、身体組織に対して透過性が高い一方で、血液中のヘモグロビン（還元ヘモグロビン）に吸収されるという特徴を有するため、近赤外光を指や手のひらや手の甲に照射すると、指や手のひらや手の甲の内部に分布している静脈が影となって画像に現れる。画像に表れる静脈の影を、静脈パターンという。このような静脈パターンを良好に撮像するために、発光ダイオード等の光源部１５１は、約６００ｎｍ〜１３００ｎｍ程度の波長、好ましくは、７００ｎｍ〜９００ｎｍ程度の波長を有する近赤外光を照射する。
【００２９】
ここで、光源部１５１が照射する近赤外光の波長が６００ｎｍ未満または１３００ｎｍ超過である場合には、血液中のヘモグロビンに吸収される割合が小さくなるため、良好な静脈パターンを得ることが困難となる。また、光源部１５１が照射する近赤外光の波長が７００ｎｍ〜９００ｎｍ程度である場合には、近赤外光は、脱酸素化ヘモグロビンと酸素化ヘモグロビンの双方に対して特異的に吸収されるため、良好な静脈パターンを得ることができる。
【００３０】
また、上述のような波長帯域を有する発光ダイオードのような光源を用いる代わりに、上述の波長帯域を含む光を射出可能な発光ダイオードと、射出された光を光学的に帯域制限するフィルタとを組み合わせたものを使用してもよい。
【００３１】
光源部１５１から射出された近赤外光は、体表面ＦＧに向かって伝搬し、直接光として、生体の側面などから内部に入射する。ここで、人体は良好な近赤外光の散乱体であるため、生体内に入射した直接光は四方に散乱しながら伝搬する。生体内を透過した近赤外光は、撮像部１５３の光学素子に入射することとなる。
【００３２】
この光源部１５１は、撮像部１５３による撮像に影響が生じない範囲であれば、第１筐体１０１、第２筐体１０３またはヒンジ部１０５の任意の箇所に設けることが可能である。
【００３３】
なお、この光源部１５１については、以下で詳細に説明する。
【００３４】
撮像部１５３は、ＣＣＤ（Ｃｈａｒｇｅ  Ｃｏｕｐｌｅｄ  Ｄｅｖｉｃｅｓ：電荷結合素子）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の撮像素子およびレンズ等の光学素子から構成される光学系と、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等から構成され、前述の光学系の駆動制御を行う撮像制御部（図示せず。）と、から構成される。
【００３５】
撮像部１５３を構成する光学系は、１または複数の光学素子と、１または複数の撮像素子と、から構成される。本実施形態に係る光学系は、風景・ポートレイト撮像用の光学素子と、静脈撮像用の光学素子と、をそれぞれ別個に有していてもよく、風景・ポートレイト撮像用の光学素子を、静脈撮像用の光学素子として利用してもよい。
【００３６】
人体の皮膚は、表皮層、真皮層および皮下組織層の３層構造となっていることが知られているが、静脈の存在する静脈層は、真皮層に存在している。真皮層は、指表面に対して０．１ｍｍ〜０．３ｍｍ程度の位置から２ｍｍ〜３ｍｍ程度の厚みで存在している層である。したがって、このような真皮層の存在位置（例えば、指表面から１．５ｍｍ〜２．０ｍｍ程度の位置）にレンズ等の光学素子の焦点位置を設定することで、静脈層を透過した透過光を、効率よく集光することが可能となる。
【００３７】
光学素子によって集光された静脈層を透過した透過光は、撮像素子に結像されて、静脈撮像データとなる。
【００３８】
撮像制御部は、撮像素子によって生成された撮像データを、後述する静脈パターン抽出部１５５に出力する。また、撮像制御部は、得られた撮像データを、後述する記憶部１６３に記録してもよい。また、記憶部１６３への記録に際して、撮像制御部は、生成した撮像データに撮像日や撮像時刻等を関連づけてもよい。なお、生成される撮像データは、ＲＧＢ（Ｒｅｄ−Ｇｒｅｅｎ−Ｂｌｕｅ）信号であってもよいし、それ以外の色やグレースケール等の画像データであってもよい。
【００３９】
静脈パターン抽出部１５５は、例えば、ＣＰＵ、ＲＯＭ、ＲＡＭ等から構成され、例えば、撮像部１５３から伝送される近赤外光撮像データに対して、静脈パターン抽出の前処理を行なう機能と、静脈パターンの抽出を行なう機能と、静脈パターン抽出の後処理を行なう機能と、を備える。
【００４０】
ここで、上記の静脈パターン抽出の前処理は、例えば、撮像データから指の輪郭を検出し、撮像データのどの位置に指があるかを識別する処理や、検出した指の輪郭を利用して撮像データを回転させて、撮像データの角度（撮像画像の角度）を補正する処理等を含む。
【００４１】
また、上記の静脈パターンの抽出は、輪郭の検出や角度の補正が終了した撮像データに対して差分フィルタを適用することで行なわれる。差分フィルタは、注目している画素とその周囲の画素について、注目している画素と周囲の画素との差分が大きな部分で、大きな値を出力値として出力するフィルタである。換言すれば、差分フィルタとは、注目している画素とその近傍の階調値の差分を用いた演算により、画像中の線や縁を強調するフィルタである。
【００４２】
一般的に、２次元平面の格子点（ｘ，ｙ）を変数とする画像データｕ（ｘ，ｙ）に対してフィルタｈ（ｘ，ｙ）を用いてフィルタ処理を行なうと、以下の式１に示すように、画像データν（ｘ，ｙ）を生成する。ここで、以下の式１において、‘＊’は畳込み積分（コンボリューション）を表す。
【００４３】
【数１】
2009271669.tif 000003
【００４４】
本実施形態に係る静脈パターンの抽出では、上記の差分フィルタとして、１次空間微分フィルタや２次空間微分フィルタ等の微分フィルタを用いてもよい。１次空間微分フィルタは、注目している画素について、横方向と縦方向の隣接している画素の階調値の差分を算出するフィルタであり、２次空間微分フィルタは、注目している画素について、階調値の差分の変化量が大きくなっている部分を抽出するフィルタである。
【００４５】
上記の２次空間微分フィルタとして、例えば、以下に示すＬｏｇ（Ｌａｐｌａｃｉａｎ  ｏｆ  Ｇａｕｓｓｉａｎ）フィルタを用いることが可能である。Ｌｏｇフィルタ（式３）は、ガウス関数を用いた平滑化フィルタであるガウシアン（Ｇａｕｓｓｉａｎ）フィルタ（式２）の２次微分で表される。ここで、以下の式２において、σはガウス関数の標準偏差を表し、ガウシアンフィルタの平滑化の度合いを表す変数である。また、以下の式３におけるσは、式２と同様にガウス関数の標準偏差を表すパラメータであり、σの値を変化させることで、Ｌｏｇフィルタ処理を行なった場合の出力値を変化させることができる。
【００４６】
【数２】
2009271669.tif 000004
【００４７】
また、上記の静脈パターン抽出の後処理は、例えば、差分フィルタ適用後の画像データに対してなされる閾値処理や、２値化処理や、細線化処理等を含む。かかる後処理を経て、静脈パターンのスケルトンを抽出することが可能となる。
【００４８】
静脈パターン抽出部１５５は、このようにして抽出した静脈パターンやスケルトンを、後述する認証部１５７等に伝送する。また、静脈パターン抽出部１５５は、抽出した静脈パターンやスケルトンを、後述する記憶部１６３に記憶してもよい。なお、静脈パターン抽出部１５５は、上述の各処理を行なうに当たって生成したパラメータや処理の途中経過等を、記憶部１６３に記憶してもよい。
【００４９】
認証部１５７は、例えば、ＣＰＵ、ＲＯＭ、ＲＡＭ等から構成され、静脈パターン抽出部１５５により生成された静脈パターンをテンプレートとして登録したり、静脈パターン抽出部１５５により生成された静脈パターンを既に登録されているテンプレートと照合して、静脈パターンの認証をおこなったりする。かかる認証部１５７は、例えば、静脈パターン登録部（図示せず。）と、静脈パターン認証部（図示せず。）と、を更に備える。
【００５０】
静脈パターン登録部は、静脈パターン抽出部１５５により生成された静脈パターンを、テンプレートとして後述する記憶部１６３に登録する。また、登録静脈パターンの登録に際しては、静脈パターンだけでなく、静脈パターンを有する個人を特定する他のデータ（例えば、指紋データ、顔画像データ、虹彩データ、声紋データ等）を静脈パターンに関連づけて記憶してもよい。また、テンプレートとして登録される登録静脈パターンは、例えば、ＣＢＥＦＦ（Ｃｏｍｍｏｎ  Ｂｉｏｍｅｔｒｉｃ  Ｅｘｃｈａｎｇｅ  Ｆｉｌｅ  Ｆｏｒｍａｔ：共通バイオメトリック交換ファイルフォーマットフレームワーク）等の規格に則ったヘッダ情報を有していてもよい。
【００５１】
静脈パターン認証部は、静脈パターン抽出部１５５により生成された静脈パターンと、既に記録されている静脈パターンのテンプレートとに基づいて、生成された静脈パターンの認証を行なう。静脈パターン認証部は、後述する記憶部１６３に対して登録静脈パターンの開示を要求し、取得した登録静脈パターンと、静脈パターン抽出部１５５から伝送された静脈パターンとの比較を行なう。登録静脈パターンと伝送された静脈パターンとの比較は、例えば以下に示す相関係数を算出し、算出した相関係数に基づいて実行することが可能である。静脈パターン認証部は、比較の結果登録静脈パターンと伝送された静脈パターンが類似している場合には、伝送された静脈パターンを認証し、類似していない場合には、認証を行なわない。
【００５２】
相関係数は、以下の式４で定義されるものであり、２つのデータｘ＝｛ｘｉ｝，ｙ＝｛ｙｉ｝間の類似度を示す統計学指標であって、−１から１までの実数値をとる。相関係数が１に近い値を示す場合には、２つのデータは類似していることを示し、相関係数が０に近い値を示す場合には、２つのデータは類似していないことを示す。また、相関係数が−１に近い値を示す場合には、２つのデータの符号が反転しているような場合を示す。
【００５３】
【数３】
2009271669.tif 000005
【００５４】
また、静脈パターン認証部は、認証結果を認証時刻等と関連づけて、認証履歴として記憶部１６３に記録してもよい。かかる認証履歴を生成することで、誰がいつ静脈パターンの認証を要求したのか、ひいては、誰がいつ静脈認証装置１０を利用したのか、を知ることが可能となる。
【００５５】
被制限処理実行部１５９は、例えば、ＣＰＵ、ＲＯＭ、ＲＡＭ等から構成され、認証部１５７から出力される静脈パターンの認証結果に応じて、実行が制限されている所定の処理を実行する。すなわち、被制限処理実行部１５９は、認証部１５７から静脈パターンの認証が成功した旨の通知を受けると、実行が制限されている所定の処理の制限を解除して、処理を実行する。
【００５６】
表示制御部１６１は、例えば、ＣＰＵ、ＲＯＭ、ＲＡＭ等から構成され、本実施形態に係る静脈認証装置１０に設けられた表示部１０２に表示される各種情報の表示制御を行う。
【００５７】
記憶部１６３は、静脈パターン登録部から登録要請のあった登録静脈パターンや、当該登録静脈パターンに関連付けられた他のデータを記憶する。また、これらのデータ以外にも、撮像部１５３が生成した撮像データや、静脈パターン抽出部１５５が抽出した静脈パターン等を記憶することも可能である。更に、これらのデータ以外にも、静脈認証装置１０が、何らかの処理を行う際に保存する必要が生じた様々なパラメータや処理の途中経過等、または、各種のデータベース等を、適宜記憶することが可能である。この記憶部１６３は、撮像部１５３、静脈パターン抽出部１５５、認証部１５７、被制限処理実行部１５９等が、自由に読み書きを行うことが可能である。
【００５８】
以上、本実施形態に係る携帯機器用静脈認証装置１０の機能の一例を示した。上記の各構成要素は、汎用的な部材や回路を用いて構成されていてもよいし、各構成要素の機能に特化したハードウェアにより構成されていてもよい。また、各構成要素の機能を、ＣＰＵ等が全て行ってもよい。従って、本実施形態を実施する時々の技術レベルに応じて、適宜、利用する構成を変更することが可能である。
【００５９】
また、上述の説明では、テンプレートとして登録される登録静脈パターンが、携帯機器用静脈認証装置１０内に記録される場合について説明したが、登録静脈パターンは、ＤＶＤメディア、Ｂｌｕ−ｒａｙメディア、コンパクトフラッシュ（登録商標）、メモリースティック、または、ＳＤメモリカード等の記録媒体や、非接触型ＩＣチップを搭載したＩＣカードまたは電子機器等に記録されてもよく、携帯機器用静脈認証装置１０とインターネット等の通信網を介して接続されたサーバに記録されていてもよい。
【００６０】
＜光源部の実装環境について＞
次に、図３および図４を参照しながら、本実施形態に係る携帯機器用静脈認証装置１０に設けられる光源部１５１の実装環境について、詳細に説明する。図３は、撮像素子と被撮像物との位置関係を説明するための説明図であり、図４は、携帯機器に設けられる光源部と撮像部とを説明するための説明図である。
【００６１】
図３に示したように、生体の一例である指ＦＧの静脈パターンを撮像する際には、撮像された静脈パターンの大きさに関連する撮影範囲Ｌ１と、撮像素子Ｃａｍと指ＦＧとの間の距離Ｌ２とが重要となる。
【００６２】
撮影範囲Ｌ１が小さすぎる場合や大きすぎる場合には、静脈認証処理の精度が低下する可能性がある。そのため、精度良く静脈認証処理を行うために、撮影範囲Ｌ１は、例えば３５ｍｍ程度であることが好ましい。
【００６３】
また、撮像素子Ｃａｍと指ＦＧとの間の距離Ｌ２は、静脈撮像データを撮像する光学素子や撮像素子の光学特性に依存する値である。本実施形態に係る携帯機器用静脈認証装置１０では、携帯機器に実装されている光学素子および撮像素子を利用するため、距離Ｌ２は、例えば、４０ｍｍ〜７０ｍｍ程度であることが好ましい。
【００６４】
このような撮影範囲Ｌ１および距離Ｌ２の条件を考慮すると、指ＦＧは、図４に示したように、指ＦＧの伸長方向が携帯機器の幅方向（すなわち、携帯機器の長手方向と直交する方向）と略同一となるように配置される必要がある。
【００６５】
他方、図４に示したような携帯機器（折畳式携帯電話）では、各筐体内に設置された基板を担持するとともに、筐体を開けさせないようにするために、筐体の少なくとも４隅には、封止部材の一例であるビス１０７が配置される。このビス１０７は、携帯機器の強度を担保するうえでも、不可欠な部材である。
【００６６】
このように、携帯機器の筐体には、少なくとも４隅に配置されたビス１０７によるレイアウト上の制約があり、静脈撮像データを撮像する際に必要な光源部ＬＳは、離隔して配置された２つのビス１０７の間に配置せざるを得ない。そのため、例えば図４に示したように、光源部ＬＳが指ＦＧを照射する照射範囲１０９のほうが、撮像部Ｃａｍが指ＦＧを撮像する撮像範囲１１１よりも狭くなってしまう可能性がある。このような場合には、撮像対象である指ＦＧの周辺部の照度が不足することとなるため、静脈撮像データの周辺部が暗くなってしまい、良好な静脈パターンを抽出できなくなる。
【００６７】
そこで、本実施形態に係る光源部１５１では、凹凸が存在する指ＦＧに対して均一に近赤外光を照射することが可能となるように、光源から射出される近赤外光の照射方向を変更する。
【００６８】
＜光源部の詳細について＞
続いて、図５〜図８を参照しながら、本実施形態に係る光源部１５１の詳細について詳細に説明する。図５は、従来の光源部および本実施形態に係る光源部を説明するための説明図である。また、図６は、従来の光源部により指を照射した際の照度について説明するための説明図であり、図７は、本実施形態に係る光源部により指を照射した際の照度について説明するための説明図である。また、図８は、光源の実装角度を変更した場合の照度の変化について説明するための説明図である。
【００６９】
従来の光源部ＬＳは、例えば図５（ａ）に示したように、基板ＬＳ１と、基板ＬＳ１に配設される複数の光源ＬＳ３と、を主に備える。複数の光源ＬＳ３は、基板ＬＳ１上に互いに離隔して並設されており、各光源ＬＳ３の照射口が存在する面（以下、照射口面と称する。）ＬＳ５は、略同一直線上に存在するように配置されている。このような光源部ＬＳの場合、各光源ＬＳ３から照射される近赤外光の照射方向は、互いに略平行となる。
【００７０】
他方、本実施形態に係る光源部１５１は、例えば図５（ｂ）に示したように、基板２０１と、複数の光源２０３と、を主に備える。基板２０１の幅方向は、本実施形態に係る折畳式携帯機器の幅方向（筐体の幅方向）と略同一の方向である。複数の光源２０３は、基板２０１上に互いに離隔して並設されている。
【００７１】
ここで、本実施形態に係る光源部１５１では、封止部材であるビス１０７に近接している光源２０３、すなわち、図５（ｂ）における右端の光源２０３と左端の光源２０３は、基板２０１に対して斜めに配設されている。また、ビス１０７に近接している光源２０３（以下、ビス側光源とも称する。）よりも内側に配設された光源２０３（以下、内側光源とも称する。）の照射口面２０５は、折畳式携帯電話の長手方向（筐体の長手方向）と直交するように配置されている。その結果、内側光源から射出された近赤外光は、携帯電話の長手方向と略平行な方向に進行するのに対し、ビス側光源から照射された近赤外光は、携帯電話の長手方向に対して斜行するように進行する。より具体的には、ビス側光源から照射された近赤外光は、筐体の長手方向と鋭角をなすような方向に進行する。
【００７２】
基板２０１に配設される光源２０３の個数は、図５に示した例では４つであるが、図示した例に限定されるわけではなく、筐体に実装可能な基板２０１の最大幅と、それぞれの光源２０３の大きさに応じて決定することが可能である。また、基板２０１の幅と、設置される光源２０３の個数に応じて、光源２０３の配置ピッチｄ１が決定される。また、光学素子の性能（例えば、画角の大きさや撮像範囲等）や、光源の指向性（放射強度分布）や、光源と撮像範囲の距離等に応じて、ビス側光源の傾斜角度θが決定される。ここで、ビス側光源の傾斜角度θは、例えば、ビス側光源の照射口面２０５と、内側光源の照射口面２０５とのなす角として定義することができる。
【００７３】
なお、本実施形態に係る光源２０３は、所定波長の近赤外光を照射可能な光源であれば、任意のものを使用可能であるが、光源２０３自体の大きさ等の観点から、発光ダイオード（Ｌｉｇｈｔ  Ｅｍｉｔｔｉｎｇ  Ｄｉｏｄｅ：ＬＥＤ）等を利用することが好ましい。
【００７４】
続いて、幅が２９ｍｍの基板に、配置ピッチを８．５ｍｍに設定して４つのＬＥＤを設置し、指の撮像を行った。撮像は、指の一方の側面から近赤外光を照射し、もう一方の側面から撮像素子を用いて指を撮像した。なお、撮像に用いた撮像素子の撮像範囲は、約４６ｍｍであった。図６は、図５（ａ）に示したように４つのＬＥＤを配置した場合の結果を示しており、図７は、図５（ｂ）に示したように４つのＬＥＤを配置した場合の結果を示している。図６および図７において、（ａ）は、実際に得られた静脈撮像データであり、（ｂ）は、静脈撮像データにおける照度の分布を示している。なお、図６および図７において、（ａ）に示した図の目盛りと、（ｂ）に示した図の目盛りは逆になっている点に注意されたい。すなわち、（ａ）の目盛り５０が（ｂ）の目盛り４５０に対応し、（ａ）の目盛り４５０が（ｂ）の目盛り５０に対応している。
【００７５】
図６（ａ）および図７（ａ）を比較すると、図６（ａ）では、中央部分のみが明るくなっているのに対し、図７（ａ）では、横方向の端部も明るくなっていることがわかる。また、図６（ｂ）の一番外側の線で区画される形状と、図７（ｂ）の一番外側の線で区画される形状とを比較すると、図７（ｂ）における形状の方が、図６（ｂ）のものよりも面積が大きくなっている。これは、図５（ｂ）に示したように、右端および左端に位置する光源２０３を傾斜して配設したことにより、より広い範囲に近赤外光が照射されるようになり、撮像範囲の端部にも十分な光が照射されるようになった結果、周辺減光が少なくなったからである。
【００７６】
次に、幅が２９ｍｍの基板に、配置ピッチを８．５ｍｍに設定して４つのＬＥＤを設置し、両端に配置されたＬＥＤの傾斜角度を１０°刻みで変化させながら、指の撮像を行った。結果を、図８に示す。なお、図８には、実際に得られた静脈撮像データと、静脈撮像データから抽出された静脈パターンの双方を示している。
【００７７】
図８を参照すると、傾斜角度が０°の場合（すなわち、図５（ａ）に示した場合）では、明るい部分が中央部分のみであり、周辺部で十分な照度が得られていないことがわかる。また、傾斜角度が増加するにつれて周辺部の照度が増加していき、約４０°近傍で、周囲部にも十分な照度が得られ、証明が均一に行われていることがわかる。また、傾斜角度が５０°以降となると、また周辺部の照度が減少していく。そのため、ビス側光源の傾斜角度は、４０°近傍であることが好ましい。
【００７８】
このように、本実施形態に係る光源部１５１は、ビス側光源を傾斜して配設することにより、被写体に照射される近赤外光の範囲を広げることができ、被写体照度を均一にすることができる。その結果、小型の低感度センサーであっても、ノイズが大きくなることなく（高ゲインになることなく）静脈撮像データの撮像が可能となる。
【００７９】
また、従来の光源部による照射に比べて照度を均一化することができるため、撮像素子をより小型化できることになり、小型化が希求されるモバイル端末等の携帯機器においては、大きなメリットとなる。
【００８０】
さらに、低ゲイン化にもつながり、ノイズを小さくすることが出来るため、撮像した静脈撮像データの認証精度を向上させることができる。
【００８１】
＜携帯機器用静脈認証装置における静脈認証処理＞
続いて、図９および図１０を参照しながら、本実施形態に係る携帯機器用静脈認証装置１０における静脈認証処理について、詳細に説明する。図９は、本実施形態に係る携帯機器用静脈認証装置１０における静脈パターンの登録処理について説明するための流れ図であり、図１０は、本実施形態に係る携帯機器用静脈認証装置１０における静脈パターンの認証処理について説明するための流れ図である。
【００８２】
［静脈パターンの登録処理］
まず、図９を参照しながら、本実施形態に係る折畳式携帯機器用静脈認証装置１０における静脈パターンの登録処理について、詳細に説明する。
【００８３】
折畳式携帯機器のヒンジ部１０５に設けられた撮像部１５３に対して回動操作がなされ、回転角度が所定の閾値以上となると、撮像部１５３は、撮像制御部が撮像モードを静脈撮像モードへと切り替えて（ステップＳ１０１）、静脈認証アプリケーションを起動する（ステップＳ１０３）。
【００８４】
また、静脈認証アプリケーションが起動すると、光源部１５１は、予め設定された箇所（例えば、指が配設される箇所）に対して近赤外光の照射を開始する（ステップＳ１０５）。
【００８５】
なお、回転角度が閾値未満であった場合には、表示制御部１６１は、表示部１０２に回転角度が足りない旨の警告を表示して使用者に再度回転操作を行うように促してもよい。また、回転角度が閾値未満であった場合には、光源部１５１および撮像部１５３は、静脈認証アプリケーションの起動を中止して、近赤外光の照射を行わないようにしてもよい。
【００８６】
撮像部１５３は、予め設定された箇所に配設された生体の一部（例えば、指表面）の撮像を行い、静脈撮像データを生成する（ステップＳ１０７）。ここで、生体の一部の撮像タイミングは、撮像部１５３が所定の間隔で周期的に撮像を繰り返すようにしてもよく、使用者が操作部に設けられた所定のキーを押して撮像を開始させるようにしてもよい。
【００８７】
撮像部１５３により生成された静脈撮像データは、静脈パターン抽出部１５５に伝送される。静脈パターン抽出部１５５は、伝送された静脈撮像データから静脈パターンを抽出し（ステップＳ１０９）、認証部１５７へと出力する。
【００８８】
認証部１５７の静脈パターン登録部は、伝送された静脈パターンを登録静脈パターン（テンプレート）として記憶部１６３に登録し（ステップＳ１１１）、静脈パターンの登録処理を終了する。
【００８９】
［静脈パターンの認証処理］
次に、図１０を参照しながら、本実施形態に係る折畳式携帯機器用静脈認証装置１０における静脈パターンの認証処理について、詳細に説明する。
【００９０】
折畳式携帯機器のヒンジ部１０５に設けられた撮像部１５５に対して回動操作がなされ、回転角度が所定の閾値以上となると、撮像部１５３は、撮像制御部が撮像モードを静脈撮像モードへと切り替えて（ステップＳ２０１）、静脈認証アプリケーションを起動する（ステップＳ２０３）。
【００９１】
また、静脈認証アプリケーションが起動すると、光源部１５１は、予め設定された箇所（例えば、指が配設される箇所）に対して近赤外光の照射を開始する（ステップＳ２０５）。
【００９２】
なお、回転角度が閾値未満であった場合には、表示制御部１６１は、表示部１０２に回転角度が足りない旨の警告を表示して使用者に再度回転操作を行うように促してもよい。また、回転角度が閾値未満であった場合には、光源部１５１および撮像部１５３は、静脈認証アプリケーションの起動を中止して、近赤外光の照射を行わないようにしてもよい。
【００９３】
撮像部１５３は、予め設定された箇所に配設された生体の一部（例えば、指表面）の撮像を行い、静脈撮像データを生成する（ステップＳ２０７）。ここで、生体の一部の撮像タイミングは、撮像部１５３が所定の間隔で周期的に撮像を繰り返すようにしてもよく、使用者が操作部に設けられた所定のキーを押して撮像を開始させるようにしてもよい。
【００９４】
撮像部１５３により生成された静脈撮像データは、静脈パターン抽出部１５５に伝送される。静脈パターン抽出部１５５は、伝送された静脈撮像データから静脈パターンを抽出し（ステップＳ２０９）、認証部１５７へと出力する。
【００９５】
認証部１５７の静脈パターン認証部は、記憶部１６３から予め登録されている登録静脈パターン（テンプレート）を取得して、静脈パターン抽出部１５５から伝送された静脈パターンとの比較を行う（ステップＳ２１１）。
【００９６】
比較の結果、静脈パターン抽出部１５５から伝送された静脈パターンが、登録静脈パターンと類似している場合には、静脈パターン認証部は、認証は成功であると判定し、被制限処理実行部１５９および表示制御部１６１に、認証が成功した旨を伝送する（ステップＳ２１３）。認証が成功した旨の伝送を受けた表示制御部１６１は、認証が成功した旨を表示部１０２に表示する。また、認証が成功した旨の伝送を受けた被制限処理実行部１５９は、実行が制限されている処理を実行する（ステップＳ２１３）。
【００９７】
また、比較の結果、静脈パターン抽出部１５５から伝送された静脈パターンが、登録静脈パターンと類似していない場合には、静脈パターン認証部は、認証は失敗であると判定し、被制限処理実行部１５９および表示制御部１６１に、認証が失敗した旨を伝送する。認証が失敗した旨の伝送を受けた表示制御部１６１は、認証が失敗した旨を表示部１０２に表示する。また、認証が失敗した旨の伝送を受けた被制限処理実行部１５９は、実行が制限されている処理を実行することなく、処理を終了する。
【００９８】
（第１変形例）
続いて、図１１Ａ〜図１１Ｄを参照しながら、本発明の第１の実施形態に係る携帯機器用静脈認証装置の第１変形例について、詳細に説明する。図１１Ａ〜図１１Ｄは、本発明の第１の実施形態に係る携帯機器用静脈認証装置の第１変形例を説明するための説明図である。
【００９９】
上述の実施形態では、本発明に係る光源部が折畳式携帯電話に設けられる場合について説明したが、本発明に係る光源部は、図１１Ａ〜図１１Ｄに示したようなストレート型の携帯電話に設けられても良い。
【０１００】
この場合には、本実施形態に係る光源部１５１および撮像部１５３は、例えば、ストレート型の携帯電話の裏面に設けられる。ストレート型の携帯電話を握る位置を考慮して光源部１５１を設けることで、携帯電話の使用者は、携帯電話の握り方を変更することなく、静脈認証処理を行うことができる。
【０１０１】
＜ハードウェア構成について＞
次に、図１２を参照しながら、本発明の各実施形態に係る携帯機器用静脈認証装置１０のハードウェア構成について、詳細に説明する。図１２は、本実施形態に係る携帯機器用静脈認証装置１０のハードウェア構成を説明するためのブロック図である。
【０１０２】
携帯機器用静脈認証装置１０は、主に、ＣＰＵ９０１と、ＲＯＭ９０３と、ＲＡＭ９０５と、ホストバス９０７と、ブリッジ９０９と、外部バス９１１と、インターフェース９１３と、入力装置９１５と、出力装置９１７と、ストレージ装置９１９と、ドライブ９２１と、接続ポート９２３と、通信装置９２５とを備える。
【０１０３】
ＣＰＵ９０１は、演算処理装置および制御装置として機能し、ＲＯＭ９０３、ＲＡＭ９０５、ストレージ装置９１９、またはリムーバブル記録媒体９２７に記録された各種プログラムに従って、静脈認証装置１０内の動作全般またはその一部を制御する。ＲＯＭ９０３は、ＣＰＵ９０１が使用するプログラムや演算パラメータ等を記憶する。ＲＡＭ９０５は、ＣＰＵ９０１の実行において使用するプログラムや、その実行において適宜変化するパラメータ等を一次記憶する。これらはＣＰＵバス等の内部バスにより構成されるホストバス９０７により相互に接続されている。
【０１０４】
ホストバス９０７は、ブリッジ９０９を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス９１１に接続されている。
【０１０５】
入力装置９１５は、例えば、マウス、キーボード、タッチパネル、ボタン、スイッチおよびレバーなどユーザが操作する操作手段である。また、入力装置９１５は、例えば、赤外線やその他の電波を利用したリモートコントロール手段（いわゆる、リモコン）であってもよいし、静脈認証装置１０の操作に対応した携帯電話やＰＤＡ等の外部接続機器９２９であってもよい。さらに、入力装置９１５は、例えば、上記の操作手段を用いてユーザにより入力された情報に基づいて入力信号を生成し、ＣＰＵ９０１に出力する入力制御回路などから構成されている。静脈認証装置１０のユーザは、この入力装置９１５を操作することにより、静脈認証装置１０に対して各種のデータを入力したり処理動作を指示したりすることができる。
【０１０６】
出力装置９１７は、例えば、ＣＲＴディスプレイ装置、液晶ディスプレイ装置、プラズマディスプレイ装置、ＥＬディスプレイ装置およびランプなどの表示装置や、スピーカおよびヘッドホンなどの音声出力装置や、プリンタ装置、携帯電話、ファクシミリなど、取得した情報をユーザに対して視覚的または聴覚的に通知することが可能な装置で構成される。出力装置９１７は、例えば、静脈認証装置１０が行った各種処理により得られた結果を出力する。具体的には、表示装置は、静脈認証装置１０が行った各種処理により得られた結果を、テキストまたはイメージで表示する。他方、音声出力装置は、再生された音声データや音響データ等からなるオーディオ信号をアナログ信号に変換して出力する。
【０１０７】
ストレージ装置９１９は、静脈認証装置１０の記憶部の一例として構成されたデータ格納用の装置であり、例えば、ＨＤＤ（Ｈａｒｄ  Ｄｉｓｋ  Ｄｒｉｖｅ）等の磁気記憶部デバイス、半導体記憶デバイス、光記憶デバイス、または光磁気記憶デバイス等により構成される。このストレージ装置９１９は、ＣＰＵ９０１が実行するプログラムや各種データ、および外部から取得した各種データなどを格納する。
【０１０８】
ドライブ９２１は、記録媒体用リーダライタであり、静脈認証装置１０に内蔵、あるいは外付けされる。ドライブ９２１は、装着されている磁気ディスク、光ディスク、光磁気ディスク、または半導体メモリ等のリムーバブル記録媒体９２７に記録されている情報を読み出して、ＲＡＭ９０５に出力する。また、ドライブ９２１は、装着されている磁気ディスク、光ディスク、光磁気ディスク、または半導体メモリ等のリムーバブル記録媒体９２７に記録を書き込むことも可能である。リムーバブル記録媒体９２７は、例えば、ＤＶＤメディア、ＨＤ−ＤＶＤメディア、Ｂｌｕ−ｒａｙメディア、コンパクトフラッシュ（登録商標）（ＣｏｍｐａｃｔＦｌａｓｈ：ＣＦ）、メモリースティック、または、ＳＤメモリカード（Ｓｅｃｕｒｅ  Ｄｉｇｉｔａｌ  ｍｅｍｏｒｙ  ｃａｒｄ）等である。また、リムーバブル記録媒体９２７は、例えば、非接触型ＩＣチップを搭載したＩＣカード（Ｉｎｔｅｇｒａｔｅｄ  Ｃｉｒｃｕｉｔ  ｃａｒｄ）または電子機器等であってもよい。
【０１０９】
接続ポート９２３は、例えば、ＵＳＢ（Ｕｎｉｖｅｒｓａｌ  Ｓｅｒｉａｌ  Ｂｕｓ）ポート、ｉ．Ｌｉｎｋ等のＩＥＥＥ１３９４ポート、ＳＣＳＩ（Ｓｍａｌｌ  Ｃｏｍｐｕｔｅｒ  Ｓｙｓｔｅｍ  Ｉｎｔｅｒｆａｃｅ）ポート、ＲＳ−２３２Ｃポート、光オーディオ端子、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ポート等の、機器を静脈認証装置１０に直接接続するためのポートである。この接続ポート９２３に外部接続機器９２９を接続することで、静脈認証装置１０は、外部接続機器９２９から直接各種のデータを取得したり、外部接続機器９２９に各種のデータを提供したりする。
【０１１０】
通信装置９２５は、例えば、通信網９３１に接続するための通信デバイス等で構成された通信インターフェースである。通信装置９２５は、例えば、有線または無線ＬＡＮ（Ｌｏｃａｌ  Ａｒｅａ  Ｎｅｔｗｏｒｋ）、Ｂｌｕｅｔｏｏｔｈ、またはＷＵＳＢ（Ｗｉｒｅｌｅｓｓ  ＵＳＢ）用の通信カード、光通信用のルータ、ＡＤＳＬ（Ａｓｙｍｍｅｔｒｉｃ  Ｄｉｇｉｔａｌ  Ｓｕｂｓｃｒｉｂｅｒ  Ｌｉｎｅ）用のルータ、または、各種通信用のモデム等である。この通信装置９２５は、例えば、インターネットや他の通信機器との間で音響信号等を送受信することができる。また、通信装置９２５に接続される通信網９３１は、有線または無線によって接続されたネットワーク等により構成され、例えば、インターネット、家庭内ＬＡＮ、赤外線通信、ラジオ波通信または衛星通信等であってもよい。
【０１１１】
以上、本発明の各実施形態に係る携帯機器用静脈認証装置１０の機能を実現可能なハードウェア構成の一例を示した。上記の各構成要素は、汎用的な部材を用いて構成されていてもよいし、各構成要素の機能に特化したハードウェアにより構成されていてもよい。従って、本実施形態を実施する時々の技術レベルに応じて、適宜、利用するハードウェア構成を変更することが可能である。
【０１１２】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１１３】
例えば、上述の実施形態においては、光源２０３が基板２０１に同一の配置ピッチで実装される場合について説明したが、異なる配置ピッチで光源２０３を基板２０１に実装してもよい。また、各光源２０３に供給される電流値を変化させて、ビス側光源には、内側光源よりも大きな電流が供給されるようにしてもよい。
【図面の簡単な説明】
【０１１４】
【図１】本発明の第１の実施形態に係る携帯機器用静脈認証装置を説明するための説明図である。
【図２】同実施形態に係る携帯機器用静脈認証装置の構成を説明するためのブロック図である。
【図３】撮像素子と被撮像物との位置関係を説明するための説明図である。
【図４】携帯機器に設けられる光源部と撮像部とを説明するための説明図である。
【図５】従来の光源部および同実施形態に係る光源部を説明するための説明図である。
【図６】従来の光源部により指を照射した際の照度について説明するための説明図である。
【図７】同実施形態に係る光源部により指を照射した際の照度について説明するための説明図である。
【図８】光源の実装角度を変更した場合の照度の変化について説明するための説明図である。
【図９】同実施形態に係る携帯機器用静脈認証装置における静脈パターンの登録処理について説明するための流れ図である。
【図１０】同実施形態に係る携帯機器用静脈認証装置における静脈パターンの認証処理について説明するための流れ図である。
【図１１Ａ】同実施形態に係る携帯機器用静脈認証装置の第１変形例を説明するための説明図である。
【図１１Ｂ】同実施形態に係る携帯機器用静脈認証装置の第１変形例を説明するための説明図である。
【図１１Ｃ】同実施形態に係る携帯機器用静脈認証装置の第１変形例を説明するための説明図である。
【図１１Ｄ】同実施形態に係る携帯機器用静脈認証装置の第１変形例を説明するための説明図である。
【図１２】同実施形態に係る携帯機器用静脈認証装置のハードウェア構成を説明するためのブロック図である。
【符号の説明】
【０１１５】
１０    携帯機器用静脈認証装置
１０１    第１筐体
１０２    表示部
１０３    第２筐体
１０４    操作部
１０５    ヒンジ部
１０６    撮像部回転つまみ
１５１    光源部
１５３    撮像部
１５５    静脈パターン抽出部
１５７    認証部
１５９    被制限処理実行部
１６１    表示制御部
１６３    記憶部
２０１    基板
２０３    光源
【図１】
2009271669.tif 000006
【図２】
2009271669.tif 000007
【図３】
2009271669.tif 000008
【図４】
2009271669.tif 000009
【図５】
2009271669.tif 000010
【図９】
2009271669.tif 000011
【図１０】
2009271669.tif 000012
【図１１Ａ】
2009271669.tif 000013
【図１１Ｂ】
2009271669.tif 000014
【図１１Ｃ】
2009271669.tif 000015
【図１１Ｄ】
2009271669.tif 000016
【図１２】
2009271669.tif 000017
【図６】
2009271669.tif 000018
【図７】
2009271669.tif 000019
【図８】
2009271669.tif 000020